(57)【要約】  【課題】痔疾患のある人は勿論のこと、便秘勝ちな人においても、排便を容易とするための排便用補助ベルトを提供する。  【解決手段】排便時に腹部を締め付けて排便を促す排便用補助ベルトであって、腹周りに巻回可能なベルト本体１の一端にこのベルト本体１の中間部分を係止させて他端側を折り返すための折返用係止部２が設けられて、腹周りに巻回したベルト本体１の他端側１１を着用者自身が片手で引くことにより腹部への締付度を調節できるようにする。【選択図】  図１
0003111132.tif 000002
【実用新案登録請求の範囲】
【請求項１】
排便時に腹部を締め付けて排便を促す排便用補助ベルトであって、腹周りに巻回可能なベルト本体（１）の一端にこのベルト本体（１）の中間部分を係止させて他端側を折り返すための折返用係止部（２）が設けられて、腹周りに巻回したベルト本体（１）の他端側（１１）を着用者自身が片手で引くことにより腹部への締付度を調節できるようにしたことを特徴とする排便用補助ベルト。
【請求項２】
折返用係止部（２）が、ベルト本体（１）の一端に取付基部（２２）をもって取り付けた枠状部材（２１）の枠内に形成されているベルト挿通用空間（２３）の端縁部（２４）である請求項１に記載の排便用補助ベルト。
【請求項３】
ベルト挿通用空間（２３）が枠状部材（２１）に設けられたベルト挿脱用切欠（２５）により外部と連通されている請求項２に記載の排便用補助ベルト。
【請求項４】
折返用係止部（２）が、ベルト本体（１）の一端に直接設けられたベルト挿通用空間（２３）の端縁部（２４）である請求項１に記載の排便用補助ベルト。
【請求項５】
ベルト本体（１）のうち少なくとも腹当部（１３）の幅を６０ｍｍ〜９０ｍｍとした請求項１〜４の何れかに記載の排便用補助ベルト。
【考案の詳細な説明】
【技術分野】
【０００１】
本考案は、排便を容易に行うための排便用補助ベルトに関するものである。
【背景技術】
【０００２】
通常排便は便意をもよおした時にトイレに入り便器に座れば肛門括約筋が弛緩するので、そこで、所謂「いきむ」という腹部に力を入れて排便を行うものである。ところが、痔疾患のある人は、この「いきむ」ことにより肛門近くにある患部が鬱血して肛門内を狭め返って排便ができにくく、便秘の原因となり、症状を悪化させる問題がある。
【０００３】
そこで、痔疾患のある人は「いきむ」ことなく排便するため、腹を手でさすり排便を促して行っているが、これは排便に時間かかるという問題があり、有効な対策が無い状態である。
【考案の開示】
【考案が解決しようとする課題】
【０００４】
本考案は、前記のような問題を解決して、痔疾患のある人は勿論のこと、便秘がちな人においても、排便を容易とするための排便用補助ベルトを提供することである。
【課題を解決するための手段】
【０００５】
本考案の排便用補助ベルトは、排便時に腹部を締め付けて排便を促す排便用補助ベルトであって、腹周りに巻回可能なベルト本体の一端にこのベルト本体の中間部分を係止させて他端側を折り返すための折返用係止部が設けられて、腹周りに巻回したベルト本体の他端側を着用者自身が片手で引くことにより腹部への締付度を調節できるようにしたことを特徴とするものを請求項１に記載の考案とする。
【０００６】
そして、前記請求項１に記載の考案において、折返用係止部が、ベルト本体の一端に取付基部をもって取り付けた枠状部材の枠内に形成されているベルト挿通用空間の端縁部であるものを請求項２に記載の考案とし、この請求項２に記載の考案において、ベルト挿通用空間が枠状部材に設けられたベルト挿脱用切欠により外部と連通されているものを請求項３に記載の考案とする。
【０００７】
また、前記請求項１に記載の考案において、折返用係止部が、ベルト本体の一端に直接設けられたベルト挿通用空間の端縁部であるものを請求項４に記載の考案とし、さらに、これらの考案においてベルト本体のうち少なくとも腹当部の幅を６０ｍｍ〜９０ｍｍとしたものを請求項５に記載の考案とする。
【考案の効果】
【０００８】
請求項１の考案は、排便時に腹周りに巻回可能なベルト本体を臍より若干下方の腹周りに巻回したうえ、ベルト本体の一端に設けた折返用係止部を身体の前側に位置させて、該折返用係止部にベルト本体の中間部分を係止させてベルト本体の他端側を折り返して、腹周りに巻回したベルト本体の他端側を着用者自身が片手で引くことにより腹部を締め付けたうえ手で固定して、同時に腹に力を入れて腹を大きくし、その後、力を抜いて腹を小さくする動作を行う。このような動作を優しく繰り返せば、強く「いきむ」ことがないので肛門が鬱血により狭くなることなくスムーズな排便を行うことができる。さらに、ベルト本体の腹部への締め付けは、ベルト本体の中間部を折返用係止部に係止させてベルト本体の他端側を手で固定して行うものであるから、締め付けが強すぎた場合には固定している手をベルト本体の他端側から離すだけで締め付けが瞬時に解除されるので安全である。
【０００９】
また、請求項２の考案は、折返用係止部が、ベルト本体の一端に取付基部をもって取り付けた枠状部材の枠内に形成されているベルト挿通用空間の端縁部であるから、折返用係止部にベルト本体が幅方向に歪むことなく接触するので、腹部に接触するベルト本体の部分は均一に腹部を優しく押圧できるものである。また、請求項３の考案は、ベルト挿通用空間が枠状部材に設けられたベルト挿脱用切欠により外部と連通されているので、折返用係止部にベルト本体の中間部分を係止させる際に、ベルト本体の幅方向の端面をベルト挿脱用切欠からベルト挿通用空間に挿脱でき装着が容易な利点がある。
【００１０】
また、請求項４の考案は、折返用係止部が、ベルト本体の一端に直接設けられたベルト挿通用空間の端縁部であるので、別異に枠状部材を用意する必要がないので、安価に製造できるものである。さらに、請求項５の考案は、ベルト本体のうち少なくとも腹当部の幅を６０ｍｍ〜９０ｍｍとしたものであるから、適度に腹部を締め付けることができるうえ腹部に食い込んで苦痛を与える虞のないものである。
【考案を実施するための最良の形態】
【００１１】
次に、本考案の実施形態を図を参照して説明する。
図１は本考案に係る排便用補助ベルトを示す斜視図であり、１は腹周りに巻回可能なベルト本体である。該ベルト本体１の一端にこのベルト本体１の中間部分すなわち他端側寄りの中間部を係止させて他端側を折り返すための折返用係止部２が設けられており、腹周りに巻回したベルト本体１の他端側１１を着用者自身が片手で引くことにより腹部への締付度を調節できるようにして、排便時に腹部を締め付けて排便を促すものである。
【００１２】
また、ベルト本体１の腹部への締め付けは、ベルト本体１の中間部を折返用係止部２に係止させて手でベルト本体１の他端側１１を固定して行うものであるから、締め付けが強すぎた場合にあは固定している手をベルト本体１の他端側１１から離すだけで締め付けが瞬時に解除されるので安全である。
【００１３】
なお、図１、図２及び図３に示すものは、折返用係止部２が、ベルト本体１の一端に取付基部２２をもって取り付けた枠状部材２１の枠内に形成されているベルト挿通用空間２３の端縁部２４であるものとしている。すなわち、図示のものは枠状部材２１を四角枠状のものとして一方の縦側枠部２１ａを取付基部２２に形成してこれにベルト本体１の一端を巻回したうえ逢着、ビヨ止め等の手段により取り付けて、他方の縦側枠部２１ｂの内縁を端縁部２４としたものである。
【００１４】
また、図４に示すものは、折返用係止部２が、ベルト本体１の一端に取付基部２２をもって取り付けた枠状部材２１の枠内に形成されているベルト挿通用空間２３の端縁部２４であるものとしたうえ、ベルト挿通用空間２３が枠状部材２１に設けられたベルト挿脱用切欠２５により外部と連通されているものとしている。すなわち、図示のものは枠状部材２１を四角枠状のものとして一方の縦側枠部２１ａを取付基部２２に形成してこれにベルト本体１の一端を巻回したうえ逢着、ビヨ止め等の手段により取り付けて、他方の縦側枠部２１ｂの内縁を端縁部２４としたものとして、上下側枠部２１ｃ、２１ｄの一方すなわち上側枠部２１ｃにベルト挿脱用切欠２５を形成したものとしている。なお、枠状部材２１を四角枠状として一方の縦側枠部２１ａを取付基部２２に形成してベルト本体１の一端を巻回したうえ逢着、ビヨ止め等の手段により取り付けているが、枠状部材２１の取付基部２２をベルト本体１の一端に着脱自在としたものとしてもよい。
【００１５】
さらに、図５に示すものは、折返用係止部２が、ベルト本体１の一端に直接設けられたベルト挿通用空間２３の端縁部２４であるものとしている。すなわち、ベルト本体１の一端１２を幅広部１２ａに形成して折り返して二重にして強度のあるものとしたうえベルト本体１の他端から中間部が挿入できる縦幅の四角孔３を形成して該四角孔３をベルト挿通用空間２３とし、四角孔３のベルト本体１の一端先方の孔縁３ａを端縁部２４としている。なお、四角孔３が変形しないものであれば、ベルト本体１の一端を折り返して二重にする必要ないものである。
【００１６】
なお、ベルト本体１の長さは腹周りの細い、太いにも係わらず汎用できるうえ装着が容易なものとするため１２００ｍｍ〜１３００ｍｍが好ましい。また、ベルト本体１の幅は６０ｍｍ〜９０ｍｍが適度に腹部を締め付けることができるうえ腹部に食い込んで苦痛を与える虞のないもので好ましいものであるが、腹当部の幅のみを６０ｍｍ〜９０ｍｍとしてもよい。
【００１７】
このように構成されたものは、図６に示すよう便器４に座り、腹周りに巻回可能なベルト本体１を臍より若干下方の腹周りに巻回したうえ、ベルト本体１の一端に設けた折返用係止部２を身体の前側に位置させて、該折返用係止部２にベルト本体１の中間部分を係止させてベルト本体１の他端側を折り返して、腹周りに巻回したベルト本体１の他端側１１を着用者自身が片手で引くことにより腹部を締め付けたうえ手で固定して、同時に腹に力を入れて腹を大きくし、その後、力を抜いて腹を小さくする動作を行う。このような動作を優しく繰り返せば、強く「いきむ」ことがないので肛門が鬱血により狭くなることがなくてスムーズな排便を行うことができる。
【００１８】
また、折返用係止部２を、ベルト本体１の一端に取付基部２２をもって取り付けた枠状部材２１の枠内に形成されているベルト挿通用空間２３の端縁部２４すなわち枠状部材２１を四角枠状として一方の縦側枠部２１ａを取付基部２２に形成してベルト本体１の一端を巻回したうえ逢着、ビヨ止め等の手段により取り付けて、他方の縦側枠部２１ｂの内縁を端縁部２４としたものであるから、折返用係止部２にベルト本体１が幅方向を歪ませることなく接触するので、腹部に接触するベルト本体１の部分は均一に腹部を優しく押圧できるものである。
【００１９】
また、図４に示すようにベルト挿通用空間２３が枠状部材２１に設けられたベルト挿脱用切欠２５により外部と連通されているものとすれば、折返用係止部２にベルト本体１の中間部分を係止させる際に、ベルト本体１の幅方向の端面をベルト挿脱用切欠２５からベルト挿通用空間に挿脱でき装着が容易な利点がある。
【００２０】
さらに、折返用係止部２をベルト本体１の一端に直接設けられたベルト挿通用空間２３の端縁部２４であるものとすれば、別異に枠状部材を用意する必要がないので、安価に製造できるものである。
【００２１】
なお、本考案に係る排便用補助ベルトは、主に排便時に使用するものであるが、排便時以外にも腹周りにベルト本体を巻回したうえ、ベルト本体腹に力を入れて腹を膨らませ、次に力を抜いて腹を凹ませる動作を繰り返し行うと同時にベルト本体の締め付け、解除を行えば、腹部に付いている脂肪が燃焼して腹部を細く引き締めることができるものである。
【図面の簡単な説明】
【００２２】
【図１】本考案の実施形態を示す斜視図。
【図２】本考案の実施形態を巻回して示す斜視図。
【図３】本考案の実施形態に使用する折返用係止部の１例の要部を示す斜視図。
【図４】本考案の実施形態に使用するの折返用係止部の他例の要部を示す斜視図。
【図５】本考案の実施形態に使用するの折返用係止部の他例の要部を示す斜視図。
【図６】本考案の実施形態に使用状態を示す側面図。
【符号の説明】
【００２３】
１  ベルト本体
11  他端側
13  腹当部
２  折返用係止部
21  枠状部材
22  取付基部
23  ベルト挿通用空間
24  端縁部
25  ベルト挿脱用切欠
【図１】
0003111132.tif 000003
【図２】
0003111132.tif 000004
【図３】
0003111132.tif 000005
【図４】
0003111132.tif 000006
【図５】
0003111132.tif 000007
【図６】
0003111132.tif 000008